(57)【要約】【課題】  絨毯の毛足に絡みついたペットの毛と絨毯の奥に入り込んだ砂などの両方を効率よく除去し得る床用吸込具を提供する。【解決手段】  吸込具１の本体ケース２内に設けた回転ブラシ３に、網状部材１２を回転ブラシの回転により絡み付かせ装着させる。網状部材１２が絡み付くとき、ブラシ体１５〜１７の先端が網状部材１２の網目から外側に突出し、網状部材により絨毯の毛足等に絡みついたペットの毛等を掻き取ると共に、網状部材１２の網目から突出するブラシ体いて絨毯等の奥に入り込んだ砂などの塵埃を掻き出すことができる。【選択図】        図７
2005102891.tif 000002
【特許請求の範囲】
【請求項１】
下面に吸込口を有する吸込具本体と、前記吸込口に臨ませて吸込具本体に回転自在に支持される回転ブラシとを備え、前記回転ブラシには、外周にブラシを配設すると共に、外周に網状部材を巻き付け可能とし、前記網状部材の網目からブラシが外周方向に突出する構成としたことを特徴とする床用吸込具。
【請求項２】
前記吸込具本体の前壁を上下方向に開閉回動自在なカバーにて構成し、カバーの開放時に前記網状部材の取り出しを容易とするよう前記吸込口の前側部分に前記吸込口と連通する開口が現れるような構成としたことを特徴とする請求項１記載の床用吸込具。
【請求項３】
前記カバーの前端部には吸込具本体と壁面との当接時バンパーとして働くローラーを設け、該ローラーとカバー上面との間の隙間から前記網状部材を上方から挿入し、前記ローラーにより送られるように構成したことを特徴とする請求項１記載の床用吸込具。
【請求項４】
前記カバーを、前記網状部材の巻き付け状態を確認可能に透明材料にて形成した又は覗き窓部を設けたことを特徴とする請求項１記載の床用吸込具。
【請求項５】
前記網状部材を、不織布あるいは布にて構成したことを特徴とする請求項１記載の床用吸込具。
【発明の詳細な説明】
【技術分野】
【０００１】
本発明は電気掃除機の床用吸込具に係わり、特に塵埃を吸い込みによる清掃だけでなく被掃除面の拭き取り掃除が効率良くできる床用吸込具に関する。
【背景技術】
【０００２】
従来、電気掃除機の床用吸込具に、毛のブラシ又はゴム製のブレードが設けられた回転ブラシを備えさせ、該回転ブラシが掃除機がけの時に回転駆動して床面の塵埃を掻き取り、掻き取った塵埃を吸引することで掃除ができるようになされている。
【０００３】
しかしながら、絨毯等に付着した髪の毛や、ペットの毛などは、回転ブラシの掻き取りと吸い込みによる掃除では十分に取り除けない問題がある。
【０００４】
そこで、本出願人は、上記問題点に鑑み、絨毯に絡みついたペットの毛や髪の毛を効率よく除去するために、回転ブラシ外周にゴム等の突起を多数形成したシートを巻き付け、突起により絨毯の毛足に絡みついたペットの毛などを掻き取って、吸引力により吸い込んだり、シートに付着させるもの（特許文献１）を提案した。
【特許文献１】特願２００３−１７９０６３
【発明の開示】
【発明が解決しようとする課題】
【０００５】
しかしながら、上記特許文献１に開示されたものは、絨毯の毛足に絡みついたペットの毛などは効率よく除去することができるが、回転ブラシに比べ、絨毯の奥に入り込んだ砂などの掻き出し効率が悪く、ペットの毛などの掃除と砂などの掃除の２回に分けて掃除しなければならない場合が生じる虞があった。
【０００６】
本発明は上記問題点に鑑みなされたもので、絨毯の毛足に絡みついたペットの毛と絨毯の奥に入り込んだ砂などの両方を効率よく除去し得る床用吸込具を提供することを課題とする。
【課題を解決するための手段】
【０００７】
上記の目的を達成するために、本発明の床用吸込具は、下面に吸込口を有する吸込具本体と、前記吸込口に臨ませて吸込具本体に回転自在に支持される回転ブラシとを備え、前記回転ブラシには、外周にブラシを配設すると共に、外周に網状部材を巻き付け可能とし、網状部材の網目からブラシが外周方向に突出する構成とすることが好ましい。
【０００８】
前記吸込具本体の前壁を上下方向に開閉回動自在なカバーにて構成し、カバーの開放時に前記網状部材の取り出しを容易とするよう前記吸込口の前側部分に前記吸込口と連通する開口が現れる構成とすることが好ましい。
【０００９】
前記カバーの前端部には吸込具本体と壁面との当接時バンパーとして働くローラーを設け、該ローラーとカバー上面との間の隙間から前記網状部材を上方から挿入し、前記ローラーにより送られるように構成することが好ましい。
【００１０】
前記カバーを、前記網状部材の巻き付け状態を確認可能に透明材料にて形成した又は覗き窓部を設けることが好ましい。
【発明の効果】
【００１１】
本発明の請求項１の構成によれば、絨毯の毛足等に絡みついたペットの毛などを効率よく掻き取ることができると共に、同時に絨毯の奥に入り込んだ砂などの塵埃を効率よく掻き出すことができ、清掃効率を向上することができる等の効果を奏する。
【００１２】
本発明の請求項２の構成によれば、網状部材の着脱操作性を向上することができる。
【００１３】
本発明の請求項３の構成によれば、網状部材の着脱操作性を向上することができると共に、壁際での清掃効率を向上することができる。
本発明の請求項４の構成によれば、網状部材の装着状態を容易に確認することができる。
本発明の請求項５の構成によれば、床面を拭き取ることができる。
【発明を実施するための最良の形態】
【００１４】
図１から図１０に示される床用吸込具１は、上ケース２ａと下ケース２ｂから成って下面から前面にかけて広範囲に開口された吸込口６が形成された横長の吸込具本体２と、該吸込具本体２内の長手方向両端に軸受部を介して回転自在に支持された回転ブラシ３と、前記吸込具本体２の後面側に吸込口６と連通すると共に上下左右に回動自在に取り付けられた接続管４と、吸込具本体２の前壁を構成すると共に吸込口６の前側部分６ｂを開閉するカバー５とから構成されており、接続管４が図示しない延長管やホースを介して掃除機本体に接続されるようになっている。
【００１５】
前記回転ブラシ３には、図５および図６に示すように、その芯体７の外周面にブラシ体（またはブレード体）８が等分な角度、例えば９０゜あるいは６０゜間隔で長手方向に複数本、螺旋状に形成されている。ブラシ体８の具体的な設け方は、その根本部８ｂを芯体７の外周面に形成した螺旋状の溝に嵌め込むことで取付けることができる。またブラシ体８は、図示はしないが、吸込具本体ケース２に内蔵された電動モータによりその駆動力が伝導ベルトなどを介して伝達され回転駆動されるように構成されている。このブラシ体８が回転することで、床面の塵埃が掻き取られ、吸込口６から効果的に吸い込まれ効率よく掃除される。
【００１６】
前記ブラシ体８に近接してその前方部分を覆うように位置する前記カバー５は、その長手方向の両端側に図示しないがアーム部が一体形成され、このアーム部によって吸込具本体２の両端部内側に回動自在に軸支されている。また、前記カバー５には、吸込具本体２前端が壁際などの掃除の際に壁面に当たったときに、回転してカバー５を上方向に回動させ吸込口６の前方部分を開放させるように作動するローラ９が、その両端部を軸受部９ａ、９ａにて回動自在に装着されている。ここで、カバー５の回動軸とローラ９との位置関係は、カバー５の最前部にあるローラ９が壁面などに押し当てられたときにローラ９が反時計廻りに回転しながらカバー５が上方に回動するように、ローラ９がカバー５の回動中心である回動軸よりも上に位置するように設定されおり、これによりカバー５の開放動作を果たしている。
【００１７】
また、前記カバー５は、図示しないがその回動軸に、カバー５を下方へ回動する方向へ付勢する付勢手段として捻りバネ(図示せず)が装着された構成となっている。従って、吸込具本体２前端が壁際など壁面に当たらない通常の床面掃除の時には、カバー５は吸込口６の前方部分を閉鎖し、下方部分のみが開口している。また、カバー５が開くときは、図９に示すよう、吸込具本体２の内側に収納される構成となるように、上ケース２ａ部分にはカバー５を後端部から仕舞い込めるように形成した空洞状の収納凹部１０が設けられている。
【００１８】
なお、前記ローラ９は、掃除機がけ時に、吸込具本体ス２の前面側が障害物に当たった場合のショック吸収というバンパーの役割をも果たすものであるので、図１０に示すように回動軸１１を有する円筒胴部１１Ａの外周面が、柔らかくて滑りやすい当接部材として、繊維質部材である起毛布１１ｄによって覆われて形成されたものが好ましく、これであれば壁面や家具などの傷付きを確実に防止できるようになると共に、極めてスムーズにカバー５を回動させることができる。また、起毛布１１ｄによりローラ９が壁面に当接した状態で横方向に掃除する場合の左右の動きもスムーズになるという点で有用となる。
【００１９】
前記吸込具本体１における回転ブラシ３は、図７に示すごとく、ゴムや合成樹脂で形成された網状部材１２を巻き付け可能に構成されている。前記網状部材１２は、比較的短いペットの毛が回転ブラシ３に巻き付いた際でも網状部材１２を回転ブラシ３からはずすことにより毛が網状部材１２と一緒に外れるよう、５〜１０mmの網目に形成されている。
【００２０】
また、前記網状部材１２は、ブラシ体が外周方向に突出可能に形成された不織布や布などによって構成してもよい。不織布や布で構成した場合には、床面の拭き効果も得ることができる。
【００２１】
次に、この網状部材１２装着のための具体的な構成について説明する。先ず網状部材１２装着の手順は、図７に示すように、吸込具本体１の手前に長方形状の網状部材１２を置き、この網状部材１２の端部の上に回転ブラシ３を乗せる。この状態で掃除機の運転スイッチを入れて回転ブラシ３を回転させれば、回転するブラシ３によって網状部材１２は、回転ブラシ３に自動的に絡み付き装着される。なお、この網状部材１２装着時、回転ブラシ３は通常の掃除機がけ時の回転より低速回転するよう運転制御され、網状部材１２が勢いよく巻き付いて破損することを防止するようにしている。
【００２２】
ここで回転ブラシ３は、網状部材１２が巻き付き易いような構造のものとした。従来の図１４に示すような、芯体７の外周に単に同一長さのブラシ体１３ｂが一定間隔（この場合９０゜）で設けられた一般的な構造の回転ブラシ１４では、ブラシ体１３ｂのある部分と無い部分とで段差Ｄがあり、網状部材１２が均一に巻き付きにくかった。
【００２３】
そこで、本発明ではブラシ体の長さ、質（硬軟）、配置を勘案しまた段差を無くす手段を図るなどして、巻き付き易い構造の回転ブラシを実現した。図１５に示す回転ブラシ３は、長くて硬い２本の毛ブラシ１５ａを外側に、短くて柔らかい２本の毛ブラシ１５ｂを内側に配置した第１のブラシ体１５と、一番長い毛ブラシ１６ａを植設した第２ブラシ体１６と、二番目の長さの毛ブラシ１７ａを植設した第３ブラシ体１７の３種類のブラシ体からなる回転ブラシ３で、その第１ブラシ体１５は、芯体７の外周面に１２０゜間隔で３列軸方向に沿って螺旋状に配置され、第２ブラシ体１６と第３ブラシ体１７は、上記第１ブラシ体１５を挟むようその間に配列されている。
【００２４】
図７はこの回転ブラシ３により網状部材１２が巻き付く様相を示すもので、網状部材１２の先端(前端)が回転ブラシ３と接触すると、ブラシ３の回転に伴い網状部材１２は引き込まれながら回転ブラシ３の周りに絡み付いていく。網状部材１２が絡み付くとき、３種類あるブラシ体１５〜１７は、図１６に示すようにそれぞれの先端が網状部材１２の網目から外側に突出し、網状部材１２を比較的いびつにならない丸い形を維持するようになる。これによって網状部材１２は丸く張った状態で巻き付けられる。
【００２５】
ところで、網状部材１２を回転ブラシ３に装着する方法として、図８に示すような構成とすることも可能である。
【００２６】
すなわちこの構成は、吸込具本体１前面と該吸込具本体１に設けられたローラー９との間の隙間２２から網状部材１２を挿入し、回転するブラシ３により巻き取るようにしたものである。この場合、網状部材１２はその横幅に余り合うほどに横方向に長いローラ９によって、網状部材１２の前方縁全体が平均的に押さえ付けられ、また左右がローラ９によりガイドされるようになり、こうしてローラー９が回転することにより網状部材１２の全面が均一に張った状態で送られるので、回転ブラシ３に均一に巻き付けさせることができる。このため、先に説明した網状部材１２を吸込口６内の回転ブラシ３に吸込具１の手前下から挿入する場合に、網状部材１２と回転ブラシ３とのセット時の位置ずれにより、網状部材１２が斜めに取り付き状態となる問題や、網状部材１２の前方縁がくしゃにくしゃになって巻き始められて不均一な装着になる不具合、また網状部材１２の巻き終わり端が垂れ床面に当たり合って騒音発生の原因となったりする等の不具合を、ローラー１２のガイド作用でなくせるという点で有利である。
【００２７】
前記ローラー９を利用した網状部材１２の案内送りをさせる場合に、ローラ９に図８のように、起毛布２３を装着する構成とすると良い。これは、ローラ９が樹脂など抵抗の少ないローラであると、ローラ９が網状部材１２をガイドする際に滑ってしまい、目的とする均一な巻き付け効果が得られにくいことがあるので、ローラ９の外周面に起毛布２３を装着したり、植毛する。こうしてローラ９の外周部が起毛布２３など抵抗のある部材で形成されていれば、ローラ９と網状部材１２との接触抵抗が強まり、網状部材全面が均一に張ってより確実にかつ円滑に送ることができようになり、さらに平均的に網状部材１２を吸気口６内の回転ブラシ３に巻き付けることができるという点で、この構成は網状部材巻き付けのための手段として有効である。
【００２８】
こうして図７等に示すように、網状部材１２を上記構造の回転ブラシ３に巻き付けた後、回転させることにより、網状部材１２により絨毯の毛足等に絡みついたペットの毛等を掻き取ると共に、網状部材１２の網目から突出するブラシ体にて絨毯等の奥に入り込んだ砂などの塵埃を掻き出す。
【００２９】
掃除を終了し汚れた網状部材１２を捨てる時や新らしい網状部材１２を交換装着するときは、網状部材１２を取り外す必要がある。網状部材１２を取り外すときは、図９に示すように、吸込口６内の回転ブラシ３に巻き付いている網状部材１２の巻き終わり側のフリー端１２ｄを、指で摘んで手前に引き、手で取り外すことができる。この時、回転ブラシ３に巻き付いたペットと毛などは、網状部材１２と共に引き剥がされる。
【００３０】
ここで網状部材１２の取り外しに際し、上記したように、カバー５が上下に開閉し吸込具本体１の前壁を形成している構成としたことにより、網状部材１２が取り出し易くなっている。すなわち、通常はカバー５はスプリング等により閉じているが、図９に示すように、カバー５が手操作で吸込具本体１内部へ収納する如く上方へ動かしシャッターのように開放すると、吸込口６はカバー開放操作以前の下だけを向き取り出しにくい状況の小さい開口から前方も開いた大きな開口に変わる。このため、前側部分の開口６ｂから網状部材１２に手を触れやくなり、網状部材１２を摘んで容易に取り出すことができる。
【００３１】
また、網状部材１２を回転ブラシ３に巻き付けた場合、巻き付き状態が簡単に確認できるようであると便利である。図１１および図１２はその巻き付け状態を確認するのに適切な構造を示している。図１１の場合は、吸込具本体１の前面部を透明部２Ａとするように透明部材にて形成したものであり、図１２では、吸込具本体１の前面部１Ａの一部に覗き穴２４、この場合は左右に一対の覗き穴２４，２４を設けるようにした。ここで、覗き穴２４は塵埃が侵入しないよう透明部材で覆った透明窓とすると良い。これらの構成によって、きちんと網状部材１２が巻き付いたかどうか分かるので、巻き付けが悪い場合には、巻き付け直して正常に装着して、所期の拭き取り効果を得られるよう直ぐに対処できる。
【００３２】
図１３は、回転ブラシ３に巻き付いた網状部材１２の端があばれ、床面に当たって生じていた騒音を抑制するのに効果的な形状とした網状部材１２を示すものである。図１３では網状部材１２の後端をＭ字形状にカットしたものである。
【００３３】
網状部材として一般的な長方形状の網状部材を巻き付けて運転した場合、網状部材の後方部(巻き終わりの端部)があばれたり、吸込口に網状部材端部が吸いこまれることにより、異音が発生する。これに対し、前記網状部材１２のように先Ｍ字形状とすると、網状部材端片部１２ｃ，１２ｃは、床面や吸込具本体と当たる面積が小さい先部分となり、従来の長方形状網状部材のように端部で床面を叩く現象は無くなるので、異常音の発生が抑えられる。また網状部材端部のあばれ(はためき)も防止することができる。また、その他の形状として、網状部材を斜めにカットし、三角形状にしても構わない。
【００３４】
以上のように構成された本実施形態の床用吸込具は、絨毯などの毛足に絡みついたペットの毛などの掻き取りと同時に、絨毯の奥に入り込んだ砂などの塵埃の掻き出しを行うことができ、効率よく掃除することができる。
【図面の簡単な説明】
【００３５】
【図１】本発明の一実施形態に係る床用吸込具の上面図。
【図２】同じく、側面図。
【図３】同じく、正面図。
【図４】同じく、上面図。
【図５】同じく、裏面図。
【図６】同じく、中央部の縦断面図。
【図７】同じく、網状部材の巻き付け時の様相を示した縦断面図。
【図８】網状部材の取り付けに係る、本発明の他の実施形態に係る床用吸込具の中央部の縦断面図。
【図９】網状部材の取り外しに係る、本発明の他の実施形態に係る床用吸込具の中央部の縦断面図。
【図１０】上記実施形態で用いられるローラ単体の縦断面図。
【図１１】網状部材の装着状態を確認可能とするための本発明の他の実施形態に係る床用吸込具の上面図。
【図１２】同じく、網状部材の装着状態を確認可能とするための本発明の他の実施形態に係る床用吸込具の上面図。
【図１３】騒音の発生抑制に有効な実施形態に係る形状の網状部材の平面図。
【図１４】従来の回転ブラシの配置形態を示す側面図。
【図１５】本発明の一実施形態に係る回転ブラシの側面図（Ａ図）とそのうちの１つのブラシ体の正面図（Ｂ図）。
【図１６】上記図１５の回転ブラシの網状部材巻き付け時の様相を示すブラシ体の側面図。
【符号の説明】
【００３６】
１        吸込具本体ケース
３        回転ブラシ
５        カバー
６        吸込口
７        芯体
８        ブラシ体
９        ローラ
１２      網状部材
２２      隙間
２３      起毛布
１２Ａ    透明部
２４      覗き穴
１２ｃ    網状部材短片部
【図１】
2005102891.tif 000003
【図２】
2005102891.tif 000004
【図３】
2005102891.tif 000005
【図４】
2005102891.tif 000006
【図５】
2005102891.tif 000007
【図６】
2005102891.tif 000008
【図７】
2005102891.tif 000009
【図８】
2005102891.tif 000010
【図９】
2005102891.tif 000011
【図１０】
2005102891.tif 000012
【図１１】
2005102891.tif 000013
【図１２】
2005102891.tif 000014
【図１３】
2005102891.tif 000015
【図１４】
2005102891.tif 000016
【図１５】
2005102891.tif 000017
【図１６】
2005102891.tif 000018